(57)【要約】【課題】複数のフランジバックに対応可能なブロア清掃具を提供する。【解決手段】デジタル一眼レフカメラ内の撮像素子の清掃時に使用されるブロアと補助器具とから構成されるブロア清掃具であって、前記補助器具は、デジタル一眼レフカメラのレンズ取り付け部マウントの幅より長く、デジタル一眼レフカメラのレンズ取り付け部マウント上を転がることが可能な曲面とを有する支持部と、前記ブロアのブロアノズルを差し込む穴に第一の固定部とを備え、前記ブロアは、前記ブロアノズルに、複数のフランジバックに対応して、前記補助器具の穴に当該ブロアノズルを差し込んだ状態で前記支持部を前記レンズ取り付け部マウント面に接触させても当該ブロアノズルの先端が前記撮像素子に触れることなく近接させて位置決めすることが可能な位置に固定する前記第一の固定部と組をなす第二の固定部を備える。【選択図】図１
2012124780.tif 000002
【特許請求の範囲】
【請求項１】
デジタル一眼レフカメラ内の撮像素子の清掃時に使用されるブロアと補助器具とから構成されるブロア清掃具であって、
前記補助器具は、
デジタル一眼レフカメラのレンズ取り付け部マウントの幅より長く、デジタル一眼レフカメラのレンズ取り付け部マウント上を転がることが可能な曲面とを有する支持部と、
前記ブロアのブロアノズルを差し込む穴に第一の固定部とを備え、
前記ブロアは、
前記ブロアノズルに、複数のフランジバックに対応して、前記補助器具の穴に当該ブロアノズルを差し込んだ状態で前記支持部を前記レンズ取り付け部マウント面に接触させても当該ブロアノズルの先端が前記撮像素子に触れることなく近接させて位置決めすることが可能な位置に固定する前記第一の固定部と組をなす第二の固定部を備えることを特徴とするブロア清掃具。
【請求項２】
前記第二の固定部は、予め定められた位置に複数の固定部を有し、
前記第一の固定部と前記第二の固定部は、それぞれ爪部によってそれぞれを固定することを特徴とする請求項１に記載のブロア清掃具。
【請求項３】
前記第一の固定部は、ネジ溝であって、前記第二の固定部は、ネジ山であることを特徴とする請求項１に記載のブロア清掃具。
【発明の詳細な説明】
【技術分野】
【０００１】
本発明は、デジタル一眼レフカメラ内の撮像素子の清掃時に使用されるブロア清掃具に関する。
【背景技術】
【０００２】
デジタル一眼レフカメラは、レンズの取り外しが可能なことからカメラ本体内が剥き出しになり、レンズ交換の際に隙間からカメラ本体内にゴミや埃が進入し、撮像素子に付着することがあった。
【０００３】
撮像素子にゴミ等が付着した状態で写真撮影を行うと、撮影した画像にゴミが写り込んでしまうため、撮像素子に付着したゴミ等を除去するか、画像修正用ソフトウェア等を利用して画像の修正を行う必要があった。
【０００４】
そこで、従来から撮像素子に付着したゴミ等を簡易に除去する清掃方法としてブロアを用いる方法がある。これは、ブロアの吐出口（ノズル）を撮像素子に向けて空気を吹きかけることによりゴミを吹き飛ばすものである。この方法によれば、撮像素子に触れることなくゴミを除去することができるので、撮像素子に触れて清掃することに抵抗があるユーザにとって便利な清掃方法である。
【０００５】
特許文献１には、ブロアを利用した撮像素子の清掃に不慣れなユーザであっても、ブロアのノズルの先端を撮像素子に接触させることなく、撮像素子に付着したゴミや埃を簡易に除去し、撮影した画像へのゴミ等の写り込みを目立たないように改善することができるデジタルカメラ用ブロア補助器具に関する技術が開示されている。
【先行技術文献】
【特許文献】
【０００６】
【特許文献１】特開２００６−１０９２６１号公報
【発明の概要】
【発明が解決しようとする課題】
【０００７】
しかしながら、特許文献１のブロア補助器具によれば、ブロアのノズルの先端部を撮像素子に近づけることができるので、ブロアからのエアを強く吹き付けることは可能となるが、一つのブロア本体で一種類のフランジバック（レンズマウントのマウント面から、撮像素子までの距離のこと）しか対応できていない。つまり、特許文献１のブロア補助器具の場合、一つのブロア本体で複数のフランジバックに対応するためには、ブロア補助器具の厚みを変化させなければならないという問題がある。
【０００８】
また、ブロアと補助器具とが接触して利用される構成であることから、接触面の材質によっては、摩耗による削り塵が撮像素子に落ちるという問題もあった。
【０００９】
さらに、ブロアと補助器具が固定されない方法の為、カメラを平面な所に置いてカメラのレンズ取り付け部マウント面を上に向けて清掃作業する事になる。
【００１０】
理想は、カメラのレンズ取り付け部マウント面を下向きにして、吹き飛ばされたゴミをカメラの外に落下させることである。
【００１１】
本発明は、上記課題を解決するものであり、複数のフランジバックに対応可能なブロア清掃具を提供することを目的とする。
【課題を解決するための手段】
【００１２】
本発明は、デジタル一眼レフカメラ内の撮像素子の清掃時に使用されるブロアと補助器具とから構成されるブロア清掃具であって、前記補助器具は、デジタル一眼レフカメラのレンズ取り付け部マウントの幅より長く、デジタル一眼レフカメラのレンズ取り付け部マウント上を転がることが可能な曲面とを有する支持部と、前記ブロアのブロアノズルを差し込む穴に第一の固定部とを備え、前記ブロアは、前記ブロアノズルに、複数のフランジバックに対応して、前記補助器具の穴に当該ブロアノズルを差し込んだ状態で前記支持部を前記レンズ取り付け部マウント面に接触させても当該ブロアノズルの先端が前記撮像素子に触れることなく近接させて位置決めすることが可能な位置に固定する前記第一の固定部と組をなす第二の固定部を備えることを特徴とする。
【発明の効果】
【００１３】
本発明によれば、複数のフランジバックに対応可能なブロア清掃具を提供することができる。
【００１４】
そのため、カメラのレンズ取り付け部マウント面を下向きにしながら、ブロア清掃具を使用する事が容易に可能となる。
【図面の簡単な説明】
【００１５】
【図１】第一の実施形態（ネジ式）のブロア本体とブロア補助器具とを示す図
【図２】第一の実施形態（ネジ式）のブロア清掃具を示す図
【図３】第二の実施形態（バヨネット式）のブロア本体とブロア補助器具とを示す図
【図４】第二の実施形態（バヨネット式）のブロア清掃具を示す図
【発明を実施するための形態】
【００１６】
以下、本発明の実施の形態を、図面を参照して詳細に説明する。
（第一の実施形態：ネジ式）
図１は、第一の実施形態のブロア１とブロア補助器具２とを示す図である。
【００１７】
本発明の実施の形態に係るブロア清掃具は、ブロア１とブロア補助器具２とで構成される。
【００１８】
ブロア１は、ユーザがブロア本体１１を握ることで吐出口であるブロアノズル１２の先端から空気が吹き出すものである。
【００１９】
また、ネジ山１３は、ブロア補助器具２を固定するための「おねじ」の役割を果たすものである。
【００２０】
ブロア補助器具２は、支持部２１が、少なくともデジタル一眼レフカメラのレンズ取り付けマウント（ボディマウント、レンズマウントともいう。）の幅より長く、ブロアノズル１２を、ブロアノズル挿入穴２３から差し込んで固定するためのネジ溝２２を備える。このネジ溝２２は、「めねじ」の役割を果たす。
【００２１】
なお、支持部２１は、レンズ取り付けマウントに設置する面は、湾曲している（つまり、曲面となっている。）。湾曲させることで、ブロア清掃具を使用時に、レンズ取り付けマウント面上をスムーズに移動することが可能となるため、ブロアノズル１２の先端を様々な角度へ調整しやすくなるという効果があるためである。
【００２２】
図２は、第一の実施形態のブロア１とブロア補助器具２とから構成されるブロア清掃具３を示す図である。
【００２３】
また、補助器具２をブロア１に取り付ける際に、補助器具２の向きを変えて取り付けることでフランジバックを変更することができることを示している。
【００２４】
ブロア清掃具３の使用方法を説明する。
【００２５】
まず、撮像素子にゴミが付着しているデジタル一眼レフカメラからレンズを取り外す。
【００２６】
そして、露出した撮像素子に対して、ブロア補助具３のブロアノズル１２の先端を近付け、支持部２１をレンズ取り付けマウント面に当てる。このとき、ブロアノズル１２の先端と撮像素子は近接するが接触しない。
【００２７】
ブロアノズル１２の先端を撮像素子に近接した状態で、ブロア本体１１に力を加えることで、空気を吹き付け、撮像素子に付着したごみを取り除く。
【００２８】
なお、撮像素子との接触を防止するため、フランジバック（レンズマウントのマウント面から、撮像素子までの距離のこと）の種類に応じてブロアノズル１２のネジ山１３とブロア補助器具２のネジ溝２２とを使って支持部２１と撮像素子との距離を調整する。なお、補助器具２の向きを変える事でも可能となる。
【００２９】
なお、実際のフランジバックとして、４４ｍｍ、４６．５ｍｍ、４４．５ｍｍ、３８．６７ｍｍなどが存在する。
【００３０】
第一の実施形態のブロア清掃具３は、ブロア１とブロア補助器具２とをネジを使って固定するとともに、フランジバックの調整が可能となる構成である。
【００３１】
これにより、複数のフランジバックに対応可能となる。
（第二の実施形態：バヨネット式）
図３は、第二の実施形態のブロア４とブロア補助器具５とを示す図である。
【００３２】
本発明の実施の形態に係るブロア清掃具は、ブロア４とブロア補助器具５とで構成される。
【００３３】
ブロア５は、ユーザがブロア本体４１を握ることで吐出口であるブロアノズル４２の先端から空気が吹き出すものである。
【００３４】
また、爪部４３および爪部４４は、ブロア補助器具５を固定する役割を果たすものである。
【００３５】
ブロア補助器具５は、支持部５１が、少なくともデジタル一眼レフカメラのレンズ取り付けマウント（ボディマウント、レンズマウントともいう。）の幅より長く、ブロアノズル４２を、ブロアノズル挿入穴５３から差し込んで回転して固定するための爪部４３および爪部４４を備える。回転することで、ブロアノズル４２の爪部４２または爪部４４とブロア補助器具５の爪部５２とが、噛み合って、補助器具５が固定される仕組みとなっている。この仕組みは、一眼レフカメラのボディとレンズを固定する方式の一つバヨネット式と同じ機構である。
【００３６】
なお、支持部５１は、レンズ取り付けマウントに設置する面は、湾曲している。湾曲させることで、ブロア清掃具を使用時に、レンズ取り付けマウント面上をスムーズに移動することが可能となるため、ブロアノズル４２の先端を様々な角度へ調整しやすくなるという効果があるためである。
【００３７】
図４は、第二の実施形態のブロア４とブロア補助器具５とから構成されるブロア清掃具６を示す図である。
【００３８】
ブロア清掃具６の使用方法は、ブロア清掃具３と同じであるため説明を省略する。
【００３９】
ブロア清掃具６がブロア清掃具３と異なる点は、フランジバックの調整方法である。
【００４０】
第二の実施形態では、爪部４３および爪部４４がブロアノズル４２のあらかじめ決められた位置に配置されている。そのため、第一の実施形態に比べてフランジバックの微調整はできない。
【００４１】
ただし、実際には、フランジバックの規格の数は、それ程多くないため、数種類の設定ができれば済み、また、第一の実施形態に比べて、一度固定すれば、フランジバックの距離がずれないというメリットがある。
【００４２】
本実施の形態では、２種類しか対応していないが、これに限らず、３種類以上用意しても良い。
【００４３】
以上説明した通り、本発明によれば、複数のフランジバックに対応可能なブロア清掃具を提供することができる。
【００４４】
これにより、カメラのレンズ取り付け部マウント面を下向きにしながら、ブロア清掃具を使用する事が容易に可能となる。
【符号の説明】
【００４５】
１    ブロア
１１  ブロア本体
１２  ブロアノズル
１３  ネジ山
２    ブロア補助具
２１  支持部
２２  ネジ溝２２
２３  ブロアノズル挿入穴
３    ブロア清掃具
４    ブロア
４１  ブロア本体
４２  ブロアノズル
４３  爪部
４４  爪部
５    ブロア補助具
５１  支持部
５２  爪部
５３  ブロアノズル挿入穴
６    ブロア清掃具
【図１】
2012124780.tif 000003
【図２】
2012124780.tif 000004
【図３】
2012124780.tif 000005
【図４】
2012124780.tif 000006